(57)【要約】【課題】香りや音を用いてトイレ使用者をリラックスさせ、トイレ空間を快適に使用させる構成では、使用者の好みによっては十分にリラックスができず、逆に不快に感じる可能性があった。【解決手段】トイレ空間１１の酸素濃度をコントロールする酸素濃度制御装置１３を備えることで、トイレ空間の酸素濃度を、人がリラックスできる濃度にすることができるので、心身をリラックスさせることが可能となり、トイレを快適に使用することが可能となる。【選択図】  図１
2004346679.tif 000002
【特許請求の範囲】
【請求項１】
トイレ空間の酸素濃度をコントロールする酸素濃度制御装置を備えたトイレ装置。
【請求項２】
酸素濃度制御装置は、トイレ空間外部の空気を取り込み、その空気を元に高濃度の酸素を生成する請求項１に記載のトイレ装置。
【請求項３】
トイレ空間の悪臭を除去する脱臭装置を有し、酸素濃度制御装置は、前記脱臭装置の下流側に設けられた請求項１に記載のトイレ装置。
【請求項４】
酸素濃度制御装置は、高濃度の酸素を生成する酸素富化膜を有する請求項１から３のいずれか１項に記載のトイレ装置。
【請求項５】
酸素濃度制御装置は、水を電気分解して酸素を発生させる電解手段を有する請求項１に記載のトイレ装置。
【請求項６】
電解手段により電気分解された水を、便器または便座などのトイレ周りの機器の除菌に用いる請求項５に記載のトイレ装置。
【請求項７】
酸素濃度制御装置は、濃度コントロールされた酸素を供給すると共に、トイレ空間に香料を供給する請求項１から６のいずれか１項記載のトイレ装置。
【発明の詳細な説明】
【０００１】
【発明の属する技術分野】
本発明は、トイレ空間内でリラックスして快適にトイレを使用するためのトイレ装置に関するものである。
【０００２】
【従来の技術】
従来、この種のトイレ装置は、トイレの貯水タンクに一定濃度の芳香剤を供給することで、香りを用いてトイレ空間を快適に使用することができるようにしている（例えば、特許文献１参照）。また、トイレットペーパーホルダーに音楽を鳴らす装置を設け、音を用いてトイレ空間を快適に使用することができるようにしている（例えば、特許文献２参照）。
【０００３】
図６は、前記公報に記載された従来のトイレ装置を示すものである。図６において、１は芳香剤を収容するボトル、２はボトル１に被冠するキャップ、３はシリンダ部、４はキャップ２とシリンダ部３を摺動することによって定量の芳香剤が滴下されるフロートスピン、５はキャップ２によるボトル１への被冠をシールするパッキンである。
【０００４】
【特許文献１】
特開平０６−１１７００３号公報
【特許文献２】
特開昭６３−１９２４１２号公報
【０００５】
【発明が解決しようとする課題】
しかしながら、前記従来の構成では、香りや音を用いてトイレ使用者をリラックスさせ、トイレ空間を快適に使用させる構成なので、使用者の好みによっては十分にリラックスができず、逆に不快に感じる可能性があるという課題を有していた。
【０００６】
本発明は、前記従来の課題を解決するもので、使用者の好みによらずに心身をリラックスさせることが可能な高濃度の酸素をトイレ空間に供給することで、トイレを快適に使用可能とするトイレ装置を提供することを目的とする。
【０００７】
【課題を解決するための手段】
前記従来の課題を解決するために、本発明のトイレ装置は、トイレ空間の酸素濃度をコントロールする酸素濃度制御装置を備えたものである。  これによって、トイレ空間の酸素濃度を通常より高い濃度にしてトイレ使用者がリラックスできる濃度にすることで、トイレを快適に使用できる。
【０００８】
【発明の実施の形態】
請求項１に記載の発明は、トイレ空間の酸素濃度をコントロールする酸素濃度制御装置を備えることにより、トイレ空間の酸素濃度をトイレ使用者がリラックスできる濃度、例えば、２０〜３５％にすることで、トイレを快適に使用することが可能となる。また、上記濃度の酸素は人の疲れを癒す効果があるので、トイレで疲れを取ることが可能となる。そのため、トイレでゆっくりリフレッシュしたい、あるいは、トイレでじっくり考え事をしたいといったニーズを捉えることができる。さらに、トイレ空間は、他の部屋と比べて狭いため、容易に酸素濃度をあげることができる。
【０００９】
請求項２に記載の発明は、特に、請求項１に記載の酸素濃度制御装置を、トイレ空間外部の空気を取り込む方式とすることにより、外部の新鮮な空気を元に高濃度の酸素を生成することでトイレ空間内の酸素濃度をコントロールするため、酸素濃度をコントロールしやすいだけでなく、トイレ空間内の臭気成分による酸素濃度制御装置への悪影響がない。
【００１０】
請求項３に記載の発明は、特に、請求項１に記載の酸素濃度制御装置を、トイレ空間の悪臭を除去する脱臭装置の下流側に設けることにより、脱臭装置によって清浄化された空気を元に高濃度の酸素を生成することでトイレ空間内の酸素濃度をコントロールするため、酸素濃度をコントロールしやすいだけでなく、トイレ空間内の臭気成分による酸素濃度制御装置への悪影響がない。
【００１１】
請求項４に記載の発明は、特に、請求項１から３のいずれか１項記載の酸素濃度制御装置を、高濃度の酸素を生成する酸素富化膜を有するものとすることにより、簡単な構成でトイレ空間の酸素濃度をコントロールすることができる。
【００１２】
請求項５に記載の発明は、特に、請求項１に記載の酸素濃度制御装置を、水を電気分解して酸素を発生させる電解手段を有するものとすることにより、純度の高い酸素を生成することができるので、容易にトイレ空間の酸素濃度をコントロールすることができる。
【００１３】
請求項６に記載の発明は、特に、請求項５に記載の電解手段により電気分解された水を便器または便座などのトイレ周りの機器の除菌に用いるものである。電解手段により電気分解された水、すなわち電解水には除菌効果のある次亜塩素酸が含まれているため、この電解水を便器または便座などのトイレ周りの機器の除菌に用いることができるので、トイレ周りの機器を清潔に保つことができる。
【００１４】
請求項７に記載の発明は、特に、請求項１から６のいずれか１項に記載の酸素濃度制御手段を、濃度コントロールされた酸素を供給すると共に、トイレ空間に香料を供給するものとすることによって、酸素によるリラックス効果に加えて香りによるリラックス効果を得ることができるので、より快適にトイレを使用することが可能となる。
【００１５】
【実施例】
以下本発明の実施例について、図面を参照しながら説明する。
【００１６】
（実施例１）
図１は、本発明の第１の実施例におけるトイレ装置の概観斜視図を示すものである。
【００１７】
図１において、１１はトイレ空間、１２は洋式の便器であり、１３が酸素濃度制御装置である。酸素濃度制御装置１３には、外気を取り入れる吸気口１４と、酸素濃度制御装置１３によって生成された高濃度の酸素をトイレ空間１１へ供給する酸素供給口１５と、酸素以外の成分を外部に送り出す排気口１６が設けられている。
【００１８】
図２は、本実施例の酸素濃度制御装置１３の構成図である。制御装置１７が吸気ファン１８を動作させることによって、矢印Ａのように外気が酸素濃度制御装置１３に供給される。酸素濃度制御装置１３に供給された外気は酸素富化膜１９を通過することになるが、この酸素富化膜１９は、空気成分のうち酸素は通過しやすいが（矢印Ｂ）、窒素等の酸素以外の分子は通過しにくい（矢印Ｃ）という性質を有するため、簡単な構成で酸素供給口１５から高濃度の酸素を供給することができる。
【００１９】
一方、各酸素富化膜１９の上流側には窒素等の空気成分に含まれる酸素以外の分子が多く滞留するため、長時間酸素濃度制御装置１３を運転すると、酸素分子の通過を阻害する要因となってしまう。そこで、一定時間ごとに制御装置１７が排気ファン２０を動作させることで、各酸素富化膜１９上流に滞留する窒素等の分子を上部に設けられた排気口２１から排気する（矢印Ｄ）構成としている。そして、排気ファン２０によって排気された窒素等の分子は排気口１６を通りトイレ空間１１外部に放出されるため、トイレ空間１１に不要な空気成分を供給しないことで、トイレ空間１１全体の酸素濃度を高めることができる。高濃度の酸素（２０〜３５％）には、人間をリラックスさせ、疲れを癒す効果があるので、トイレ空間を快適に使用することができる。なお、トイレ空間１１は、他の部屋と比べて狭いため、この酸素濃度制御装置１３をトイレ空間１１に用いることにより、他の部屋に用いる場合と比べて容易に酸素濃度をあげることができる。よって、トイレでゆっくりリフレッシュしたい、あるいは、トイレでじっくり考え事をしたいといったニーズを捉えることができる。さらに、リラックス効果に加えて、トイレ空間にて酸素を富化し濃度を高めた空気を吸入することにより便意を促進されて快便効果を得ることも可能となる。
【００２０】
また、人をリラックスさせる効果のある森林の香りなどを香料タンク２２に貯留し、貯留した香りを酸素供給口１５からトイレ空間１１に供給する高濃度の酸素に一定量混ぜる（矢印Ｆ）構成としているため、酸素によるリラックス効果に加えて香りによるリラックス効果を得ることができるので、より快適にトイレを使用することが可能となる。森林の香り以外にも、他の個人の嗜好に添うような香りを選択して、快適感や他の香りの効能を得ることも可能であるし、酸素の濃度を高めた空気に混入することで、酸素富化空気を周囲の空気と識別可能となり、意識して吸入することも可能である。
【００２１】
また、酸素濃度制御装置１３の上流に設けられた吸気口１４と吸気ファン１８によって、外部の新鮮な空気を元に高濃度の酸素を生成する構成とすることで、酸素濃度をコントロールしやすいだけでなく、トイレ空間内の臭気成分（アンモニアなど）による酸素濃度制御装置１３への悪影響を生じないようにしている。なお、図３に示すように、吸気口１４と吸気ファン１８の代わりにトイレ空間１１の悪臭成分を除去する脱臭装置２３を酸素濃度制御装置１３上流に設けることで、脱臭装置によって清浄化された空気を元に高濃度の酸素を生成することができるので、外気を取り込む構成と同様の効果を得ることができる。
【００２２】
（実施例２）
図４は、本発明の第２の実施例のトイレ装置の外観斜視図でる。なお、実施例１の衛生洗浄装置と同一構造のものは同一符号を付与し、説明を省略する。
【００２３】
図４において、３１は酸素濃度制御手段であり、酸素濃度制御装置３１によって生成された高濃度の酸素をトイレ空間１１に供給する酸素供給口１５と、酸素濃度制御装置３１によって生成された水素を外部に送り出す排気口１６が設けられている。
【００２４】
図５は、本実施例の酸素濃度制御装置３１の構成図である。
【００２５】
図５において、３３は電気分解を行うための電解手段であり、＋の電気を印荷する陽極３４と、−の電気を印荷する陰極３５を有している。また、本実施例では、酸素供給口１５は使用者が酸素濃度制御装置３１に水道水を供給するための給水口の役割を兼ねている。電解手段３３内に水道水が入った状態で電気分解が行われると、陽極３４からは酸素が、陰極３５からは水素が発生するとともに、電解手段３３の水道水は、水道水中に含まれる塩素イオンと結合して次亜塩素酸（ＨＣｌＯ）を含む電解水となる。
【００２６】
そして、陽極３４で生成された酸素は、酸素供給口１５からトイレ空間１１へ供給されるため、トイレ空間１１全体の酸素濃度を高めることができる。高濃度の酸素（２０〜３５％）には、人間をリラックスさせ、疲れを癒す効果があるので、実施例１と同様に、トイレを快適に使用することが可能となる。また、電気分解によって生成された酸素は純度が非常に高いので、容易にトイレ空間１１の酸素濃度を所定濃度にすることができる。
【００２７】
一方、陰極３５で精製された水素は、排気口１６を通り、トイレ空間１１の外部に放出されるため、トイレ空間１１に不要な空気成分（水素）を供給しないことで、トイレ空間１１全体の酸素濃度を高めることができる。
【００２８】
そして、電気分解終了後に使用者が排水バルブ３６を開くことで、電解手段３３内で生成された電解水が排水タンク３７へと排水される。この電解水には次亜塩素酸が含まれているが、次亜塩素酸を含んだ電解水は除菌効果を有しているので、電解水を便器１２または便座３８などのトイレ周りの機器の除菌に用いることで、トイレ周りの機器を清潔に保つことができる。
【００２９】
なお、実施例１と同様に、酸素供給口１５から供給される酸素に、人をリラックスさせる香料を一定量混ぜる構成とすることで、リラックス効果をさらに高める構成としてもよい。
【００３０】
【発明の効果】
以上のように、本発明によれば、トイレ空間の酸素濃度をコントロールする酸素濃度制御装置を備えることにより、トイレ空間の酸素濃度をトイレ使用者がリラックスできる濃度にすることで、トイレ空間を快適に使用できる。
【図面の簡単な説明】
【図１】本発明の実施例１におけるトイレ装置の外観斜視図
【図２】本発明の実施例１における酸素濃度制御装置の構成図
【図３】本発明の実施例１における脱臭装置を備えた酸素濃度制御装置の構成図
【図４】本発明の実施例２におけるトイレ装置の外観斜視図
【図５】本発明の実施例２における酸素濃度制御装置の構成図
【図６】従来のトイレ装置の構成図
【符号の説明】
１１  トイレ空間
１２  便器
１３  酸素濃度制御装置
１４  吸気口
１９  酸素富化膜
２２  香料タンク
２３  脱臭装置
３３  電解手段
３８  便座
【図１】
2004346679.tif 000003
【図２】
2004346679.tif 000004
【図３】
2004346679.tif 000005
【図４】
2004346679.tif 000006
【図５】
2004346679.tif 000007
【図６】
2004346679.tif 000008